(57)【要約】【課題】ＢＤ、ＤＶＤ、ＣＤを記録媒体とする光ディスク装置の光ピックアップにおいて、構成要素の簡素化を進める。【解決手段】光ピックアップは、ＤＶＤ用とＣＤ用のレーザ光を発生する二波長型のレーザ光源と、ＢＤ用のレーザ光を発生する一波長型のレーザ光源と、当該レーザ光源で発生されたＢＤ用のレーザ光を円偏光に変換する第１の波長板を有する。さらに、二波長型レーザ光源で発生されたＤＶＤ用のレーザ光を４５度直線偏光に変換する第２の波長板を有する。ＢＤに対しては円偏光で、ＤＶＤに対しては４５度直線偏光でレーザ光が記録媒体に照射されることにより、好適な記録再生を行う。【選択図】図５
2013157056.tif 000002
【特許請求の範囲】
【請求項１】
互いに異なる種類の第１、第２、第３の光ディスクに対しレーザ光を照射して情報データを読取る光ディスク装置で用いる光ピックアップであって、
前記第１の光ディスクに対し照射するための第１の波長のレーザ光を発生する第１のレーザ光源と、
前記第１の波長のレーザ光よりも長い波長を有し前記第２の光ディスクに対し照射するための第２の波長のレーザ光と、当該第２の波長よりも長い波長を有し前記第３の光ディスクに対し照射するための第３の波長のレーザ光と、を発生する第２のレーザ光源と、
当該第２のレーザ光源が発生した前記第２の波長のレーザ光が入射され当該第２の波長のレーザ光に位相差を与えて出射し、前記第３の波長のレーザ光が入射され当該第３の波長のレーザ光を出射する第２の波長板と、
前記第１のレーザ光源が発生した前記第１の波長のレーザ光が入射され当該第１の波長のレーザ光を円偏光に変換して出射し、前記第２の波長板が出射した前記第２の波長のレーザ光が４５度直線偏光として入射され当該第２の波長のレーザ光を４５度直線偏光のまま出射し、前記第２の波長板が出射した前記第３の波長のレーザ光が入射され当該第３の波長のレーザ光を出射する第１の波長板と、
当該第１の波長板が出射した前記第１乃至第３の波長のレーザ光を前記第１乃至第３の光ディスクに対して合焦させる対物レンズ
を有することを特徴とする光ピックアップ。
【請求項２】
請求項１に記載の光ピックアップにおいて、前記第１の波長板は前記第１の波長のレーザ光に対する１／４波長板であり、前記第２の波長板は前記第２の波長のレーザ光に対する１／２波長板であることを特徴とする光ピックアップ。
【請求項３】
請求項１に記載の光ピックアップにおいて、
前記第１の波長板は、前記第１の波長のレーザ光に対する１／４波長板であり、
前記第２の波長板は、前記第２の波長のレーザ光に対し、前記第２の波長板に入射されてから前記第１の波長板に入射されるまでの間に、４５度直線偏光に変換されるよう位相差を与えて出射することを特徴とする光ピックアップ。
【請求項４】
互いに異なる種類の第１、第２、第３の光ディスクに対しレーザ光を照射して情報データを読取る光ディスク装置で用いる光ピックアップであって、
前記第１の光ディスクに対し照射するための第１の波長のレーザ光を発生する第１のレーザ光源と、
前記第１の波長のレーザ光よりも長い波長を有し前記第２の光ディスクに対し照射するための第２の波長のレーザ光と、当該第２の波長よりも長い波長を有し前記第３の光ディスクに対し照射するための第３の波長のレーザ光と、を発生する第２のレーザ光源と、
当該第２のレーザ光源が発生した前記第２の波長のレーザ光が入射され当該第２の波長のレーザ光に位相差を与えて出射し、前記第３の波長のレーザ光が入射され当該第３の波長のレーザ光を出射する第２の波長板と、
前記第１のレーザ光源が発生した前記第１の波長のレーザ光が入射され当該第１の波長のレーザ光を円偏光に変換して出射し、前記第２の波長板が出射した前記第２の波長のレーザ光が入射され当該第２の波長のレーザ光を円偏光に変換して出射し、前記第２の波長板が出射した前記第３の波長のレーザ光が入射され当該第３の波長のレーザ光を出射する第１の波長板と、
当該第１の波長板が出射した前記第１乃至第３の波長のレーザ光を前記第１乃至第３の光ディスクに対して合焦させる対物レンズ
を有することを特徴とする光ピックアップ。
【請求項５】
請求項４に記載の光ピックアップにおいて、前記第１の波長板は前記第１の波長のレーザ光に対する１／４波長板であり、前記第２の波長板は前記第２の波長のレーザ光に対し前記第１のレーザ光の波長の１／４と前記第２のレーザ光の波長の１／４との差分に相当する位相差を与えることを特徴とする光ピックアップ。
【請求項６】
請求項４に記載の光ピックアップにおいて、
前記第１の波長板は、前記第１の波長のレーザ光に対する１／４波長板であり、
前記第２の波長板は、前記第２の波長のレーザ光に対し、前記第２の波長板に入射されてから前記第１の波長板に入射されるまでの間に前記第１のレーザ光の波長の１／４と前記第２のレーザ光の波長の１／４との差分に相当する位相差が与えられるよう、位相差を与えることを特徴とする光ピックアップ。
【請求項７】
互いに異なる種類の第１、第２、第３の光ディスクに対しレーザ光を照射して情報データを読取る光ディスク装置で用いる光ピックアップであって、
前記第１の光ディスクに対し照射するための第１の波長のレーザ光を発生する第１のレーザ光源と、
当該第１の波長のレーザ光よりも長い波長を有し前記第２の光ディスクに対し照射するための第２の波長のレーザ光と、当該第２の波長よりも長い波長を有し前記第３の光ディスクに対し照射するための第３の波長のレーザ光と、を発生する第２のレーザ光源と、
前記第１のレーザ光源が発生した前記第１の波長のレーザ光が入射され当該第１の波長のレーザ光に位相差を与えて出射する第２の波長板と、
当該第２の波長板が出射した前記第１の波長のレーザ光が４５度直線偏光として入射され当該第１の波長のレーザ光を４５度直線偏光のまま出射し、前記第２のレーザ光源が発生した前記第２の波長のレーザ光が入射され当該第２の波長のレーザ光を円偏光に変換して出射し、前記第２のレーザ光源が出射した前記第３の波長のレーザ光が入射され当該第３の波長のレーザ光を出射する第１の波長板と、
当該第１の波長板が出射した前記第１乃至第３の波長のレーザ光を前記第１乃至第３の光ディスクに対して合焦させる対物レンズ
を有することを特徴とする光ピックアップ。
【請求項８】
請求項７に記載の光ピックアップにおいて、前記第１の波長板は前記第２の波長のレーザ光に対する１／４波長板であり、前記第２の波長板は前記第１の波長のレーザ光に対する１／２波長板であることを特徴とする光ピックアップ。
【請求項９】
請求項７に記載の光ピックアップにおいて、
前記第１の波長板は、前記第２の波長のレーザ光に対する１／４波長板であり、
前記第２の波長板は、前記第１の波長のレーザ光に対し、前記第２の波長板に入射されてから前記第１の波長板に入射されるまでの間に、４５度直線偏光に変換されるよう位相差を与えて出射することを特徴とする光ピックアップ。
【請求項１０】
互いに異なる種類の第１、第２、第３の光ディスクに対しレーザ光を照射して情報データを読取る光ディスク装置で用いる光ピックアップであって、
前記第１の光ディスクに対し照射するための第１の波長のレーザ光を発生する第１のレーザ光源と、
当該第１の波長のレーザ光よりも長い波長を有し前記第２の光ディスクに対し照射するための第２の波長のレーザ光と、当該第２の波長よりも長い波長を有し前記第３の光ディスクに対し照射するための第３の波長のレーザ光と、を発生する第２のレーザ光源と、
前記第１のレーザ光源が発生した前記第１の波長のレーザ光が入射され当該第１の波長のレーザ光に位相差を与えて出射する第２の波長板と、
当該第２の波長板が出射した前記第１の波長のレーザ光が入射され当該第１の波長のレーザ光を円偏光に変換して出射し、前記第２のレーザ光源が発生した前記第２の波長のレーザ光が入射され当該第２の波長のレーザ光を円偏光に変換して出射し、前記第２のレーザ光源が出射した前記第３の波長のレーザ光が入射され当該第３の波長のレーザ光を出射する第１の波長板と、
当該第１の波長板が出射した前記第１乃至第３の波長のレーザ光を前記第１乃至第３の光ディスクに対して合焦させる対物レンズ
を有することを特徴とする光ピックアップ。
【請求項１１】
請求項１０に記載の光ピックアップにおいて、前記第１の波長板は前記第２の波長のレーザ光に対する１／４波長板であり、前記第２の波長板は前記第１の波長のレーザ光に対し前記第１のレーザ光の波長の１／４と前記第２のレーザ光の波長の１／４との差分に相当する位相差を与えることを特徴とする光ピックアップ。
【請求項１２】
請求項１０に記載の光ピックアップにおいて、
前記第１の波長板は、前記第２の波長のレーザ光に対する１／４波長板であり、
前記第２の波長板は、前記第１の波長のレーザ光に対し、前記第２の波長板に入射されてから前記第１の波長板に入射されるまでの間に前記第１のレーザ光の波長の１／４と前記第２のレーザ光の波長の１／４との差分に相当する位相差が与えられるよう、位相差を与えることを特徴とする光ピックアップ。
【請求項１３】
互いに異なる種類の第１、第２、第３の光ディスクに対しレーザ光を照射して情報データを読取る光ディスク装置で用いる光ピックアップであって、
前記第１の光ディスクに対し照射するための第１の波長のレーザ光を発生する第１のレーザ光源と、
前記第１の波長のレーザ光よりも長い波長を有し前記第２の光ディスクに対し照射するための第２の波長のレーザ光と、当該第２の波長よりも長い波長を有し前記第３の光ディスクに対し照射するための第３の波長のレーザ光と、の双方のレーザ光を前記第１の波長のレーザ光とは偏光方向が４５度異なるように発生する第２のレーザ光源と、
前記第１のレーザ光源が発生した前記第１の波長のレーザ光が入射され当該第１の波長のレーザ光を円偏光に変換して出射し、前記第２のレーザ光源が発生した前記第２及び第３の波長のレーザ光が入射され当該第２及び第３の波長のレーザ光を４５度直線偏光のまま出射する波長板と、
当該波長板が出射した前記第１乃至第３の波長のレーザ光を前記第１乃至第３の光ディスクに対して合焦させる対物レンズ
を有することを特徴とする光ピックアップ。
【請求項１４】
請求項１３に記載の光ピックアップにおいて、前記波長板は前記第１の波長のレーザ光に対する１／４波長板であることを特徴とする光ピックアップ。
【請求項１５】
互いに異なる種類の第１、第２、第３の光ディスクに対しレーザ光を照射して情報データを読取る光ディスク装置で用いる光ピックアップであって、
前記第１の光ディスクに対し照射するための第１の波長のレーザ光を発生する第１のレーザ光源と、
前記第１の波長のレーザ光よりも長い波長を有し前記第２の光ディスクに対し照射するための第２の波長のレーザ光と、当該第２の波長よりも長い波長を有し前記第３の光ディスクに対し照射するための第３の波長のレーザ光と、の双方のレーザ光を発生し、かつ、少なくも前記第２の波長のレーザ光に関しては前記第１の波長のレーザ光とは偏光方向が４５度異なるように発生する第２のレーザ光源と、
前記第１のレーザ光源が発生した前記第１の波長のレーザ光が入射され当該第１の波長のレーザ光を４５度直線偏光として出射し、前記第２のレーザ光源が発生した前記第２の波長のレーザ光が入射され当該第２の波長のレーザ光を円偏光に変換して出射し、前記第２のレーザ光源が出射した前記第３の波長のレーザ光が入射され当該第３の波長のレーザ光を出射する波長板と、
当該波長板が出射した前記第１乃至第３の波長のレーザ光を前記第１乃至第３の光ディスクに対して合焦させる対物レンズ
を有することを特徴とする光ピックアップ。
【請求項１６】
請求項１５に記載の光ピックアップにおいて、前記波長板は前記第２の波長のレーザ光に対する１／４波長板であることを特徴とする光ピックアップ。
【請求項１７】
請求項１、請求項４、請求項７、請求項１０、請求項１３、又は請求項１５のいずれか一項に記載の光ピックアップにおいて、前記第１のレーザ光源が発生する第１の波長のレーザ光は波長が４０５ｎｍ級のＢＤ用レーザ光であり、前記第２のレーザ光源が発生する第２の波長のレーザ光は波長が６５６ｎｍ級のＤＶＤ用レーザ光であり、前記第３のレーザ光源が発生する第３の波長のレーザ光は波長が７９５ｎｍ級のＣＤ用レーザ光であることを特徴とする光ピックアップ。
【請求項１８】
請求項１、請求項４、請求項７、請求項１０、請求項１３、又は請求項１５のいずれか一項に記載の光ピックアップと、前記光ディスクから読取った情報データを処理する信号処理部とを有することを特徴とする光ピックアップを用いた光ディスク装置。
【発明の詳細な説明】
【技術分野】
【０００１】
本発明は光ピックアップ、及び当該の光ピックアップを用いた光ディスク装置に係り、特に構成要素を簡素化した光ピックアップ、及び当該の光ピックアップを用いた光ディスク装置に関するものである。
【背景技術】
【０００２】
光ディスク装置においては、使用する記録媒体の種類がＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＢＤ（Ｂｌｕ−ｒａｙ  Ｄｉｓｋ）と増加している。記録媒体にレーザ光を照射して情報データを記録し、また再生するための光ピックアップにおいては、記録媒体に応じて波長の異なるレーザ光を使用する必要がある。このため、例えばＤＶＤとＣＤの双方に対応した二波長型のレーザ光源が既に実用化されている。
特許文献１においては、二波長型のレーザ光源を有する光ピックアップ装置が開示されている。
【先行技術文献】
【特許文献】
【０００３】
【特許文献１】特開２００３−３１７２８０号公報
【発明の概要】
【発明が解決しようとする課題】
【０００４】
複数のレーザ光の波長に対応する光ピックアップにおいては、複数の波長、特に短い波長のレーザ光が、記録媒体上に所定の偏光方向で照射されるよう、内蔵する波長板を設計することが重要である。これにより、短波長のレーザ光を用いて記録密度の高い情報データを低い誤り率で記録し再生することができる。
【０００５】
この際、互いに波長の異なるレーザ光のいずれに対しても波長板を対応できるよう、複数の波長板を重ね、或いは材料を混合して使用する方法が考えられる。しかし、波長板の製作を困難にし高価格化する結果となるため望ましくない。
前記した特許文献１においても、この問題に対しては特に開示はない。
本発明の目的は前記した問題に鑑み、基本性能を維持しながら構成要素を簡素化した三波長のレーザ光に対応した光ピックアップ、及び当該の光ピックアップを用いた光ディスク装置を提供することにある。
【課題を解決するための手段】
【０００６】
前記課題を解決するため本発明は、互いに異なる種類の第１、第２、第３の光ディスクに対しレーザ光を照射して情報データを読取る光ディスク装置で用いる光ピックアップであって、前記第１の光ディスクに対し照射するための第１の波長のレーザ光を発生する第１のレーザ光源と、前記第１の波長のレーザ光よりも長い波長を有し前記第２の光ディスクに対し照射するための第２の波長のレーザ光と、当該第２の波長よりも長い波長を有し前記第３の光ディスクに対し照射するための第３の波長のレーザ光と、を発生する第２のレーザ光源と、当該第２のレーザ光源が発生した前記第２の波長のレーザ光が入射され当該第２の波長のレーザ光に位相差を与えて出射し、前記第３の波長のレーザ光が入射され当該第３の波長のレーザ光を出射する第２の波長板と、前記第１のレーザ光源が発生した前記第１の波長のレーザ光が入射され当該第１の波長のレーザ光を円偏光に変換して出射し、前記第２の波長板が出射した前記第２の波長のレーザ光が４５度直線偏光として入射され当該第２の波長のレーザ光を４５度直線偏光のまま出射し、前記第２の波長板が出射した前記第３の波長のレーザ光が入射され当該第３の波長のレーザ光を出射する第１の波長板と、当該第１の波長板が出射した前記第１乃至第３の波長のレーザ光を前記第１乃至第３の光ディスクに対して合焦させる対物レンズを有することを特徴としている。
【０００７】
また本発明は、互いに異なる種類の第１、第２、第３の光ディスクに対しレーザ光を照射して情報データを読取る光ディスク装置で用いる光ピックアップであって、前記第１の光ディスクに対し照射するための第１の波長のレーザ光を発生する第１のレーザ光源と、前記第１の波長のレーザ光よりも長い波長を有し前記第２の光ディスクに対し照射するための第２の波長のレーザ光と、当該第２の波長よりも長い波長を有し前記第３の光ディスクに対し照射するための第３の波長のレーザ光と、を発生する第２のレーザ光源と、当該第２のレーザ光源が発生した前記第２の波長のレーザ光が入射され当該第２の波長のレーザ光に位相差を与えて出射し、前記第３の波長のレーザ光が入射され当該第３の波長のレーザ光を出射する第２の波長板と、前記第１のレーザ光源が発生した前記第１の波長のレーザ光が入射され当該第１の波長のレーザ光を円偏光に変換して出射し、前記第２の波長板が出射した前記第２の波長のレーザ光が入射され当該第２の波長のレーザ光を円偏光に変換して出射し、前記第２の波長板が出射した前記第３の波長のレーザ光が入射され当該第３の波長のレーザ光を出射する第１の波長板と、当該第１の波長板が出射した前記第１乃至第３の波長のレーザ光を前記第１乃至第３の光ディスクに対して合焦させる対物レンズを有することを特徴としている。
【０００８】
また本発明は、互いに異なる種類の第１、第２、第３の光ディスクに対しレーザ光を照射して情報データを読取る光ディスク装置で用いる光ピックアップであって、前記第１の光ディスクに対し照射するための第１の波長のレーザ光を発生する第１のレーザ光源と、当該第１の波長のレーザ光よりも長い波長を有し前記第２の光ディスクに対し照射するための第２の波長のレーザ光と、当該第２の波長よりも長い波長を有し前記第３の光ディスクに対し照射するための第３の波長のレーザ光と、を発生する第２のレーザ光源と、前記第１のレーザ光源が発生した前記第１の波長のレーザ光が入射され当該第１の波長のレーザ光に位相差を与えて出射する第２の波長板と、当該第２の波長板が出射した前記第１の波長のレーザ光が４５度直線偏光として入射され当該第１の波長のレーザ光を４５度直線偏光のまま出射し、前記第２のレーザ光源が発生した前記第２の波長のレーザ光が入射され当該第２の波長のレーザ光を円偏光に変換して出射し、前記第２のレーザ光源が出射した前記第３の波長のレーザ光が入射され当該第３の波長のレーザ光を出射する第１の波長板と、当該第１の波長板が出射した前記第１乃至第３の波長のレーザ光を前記第１乃至第３の光ディスクに対して合焦させる対物レンズを有することを特徴としている。
【０００９】
また本発明は、互いに異なる種類の第１、第２、第３の光ディスクに対しレーザ光を照射して情報データを読取る光ディスク装置で用いる光ピックアップであって、前記第１の光ディスクに対し照射するための第１の波長のレーザ光を発生する第１のレーザ光源と、当該第１の波長のレーザ光よりも長い波長を有し前記第２の光ディスクに対し照射するための第２の波長のレーザ光と、当該第２の波長よりも長い波長を有し前記第３の光ディスクに対し照射するための第３の波長のレーザ光と、を発生する第２のレーザ光源と、前記第１のレーザ光源が発生した前記第１の波長のレーザ光が入射され当該第１の波長のレーザ光に位相差を与えて出射する第２の波長板と、当該第２の波長板が出射した前記第１の波長のレーザ光が入射され当該第１の波長のレーザ光を円偏光に変換して出射し、前記第２のレーザ光源が発生した前記第２の波長のレーザ光が入射され当該第２の波長のレーザ光を円偏光に変換して出射し、前記第２のレーザ光源が出射した前記第３の波長のレーザ光が入射され当該第３の波長のレーザ光を出射する第１の波長板と、当該第１の波長板が出射した前記第１乃至第３の波長のレーザ光を前記第１乃至第３の光ディスクに対して合焦させる対物レンズを有することを特徴としている。
【００１０】
また本発明は、互いに異なる種類の第１、第２、第３の光ディスクに対しレーザ光を照射して情報データを読取る光ディスク装置で用いる光ピックアップであって、前記第１の光ディスクに対し照射するための第１の波長のレーザ光を発生する第１のレーザ光源と、前記第１の波長のレーザ光よりも長い波長を有し前記第２の光ディスクに対し照射するための第２の波長のレーザ光と、当該第２の波長よりも長い波長を有し前記第３の光ディスクに対し照射するための第３の波長のレーザ光と、の双方のレーザ光を前記第１の波長のレーザ光とは偏光方向が４５度異なるように発生する第２のレーザ光源と、前記第１のレーザ光源が発生した前記第１の波長のレーザ光が入射され当該第１の波長のレーザ光を円偏光に変換して出射し、前記第２のレーザ光源が発生した前記第２及び第３の波長のレーザ光が入射され当該第２及び第３の波長のレーザ光を４５度直線偏光のまま出射する波長板と、当該波長板が出射した前記第１乃至第３の波長のレーザ光を前記第１乃至第３の光ディスクに対して合焦させる対物レンズを有することを特徴としている。
【００１１】
また本発明は、互いに異なる種類の第１、第２、第３の光ディスクに対しレーザ光を照射して情報データを読取る光ディスク装置で用いる光ピックアップであって、前記第１の光ディスクに対し照射するための第１の波長のレーザ光を発生する第１のレーザ光源と、前記第１の波長のレーザ光よりも長い波長を有し前記第２の光ディスクに対し照射するための第２の波長のレーザ光と、当該第２の波長よりも長い波長を有し前記第３の光ディスクに対し照射するための第３の波長のレーザ光と、の双方のレーザ光を発生し、かつ、少なくも前記第２の波長のレーザ光に関しては前記第１の波長のレーザ光とは偏光方向が４５度異なるように発生する第２のレーザ光源と、前記第１のレーザ光源が発生した前記第１の波長のレーザ光が入射され当該第１の波長のレーザ光を４５度直線偏光として出射し、前記第２のレーザ光源が発生した前記第２の波長のレーザ光が入射され当該第２の波長のレーザ光を円偏光に変換して出射し、前記第２のレーザ光源が出射した前記第３の波長のレーザ光が入射され当該第３の波長のレーザ光を出射する波長板と、当該波長板が出射した前記第１乃至第３の波長のレーザ光を前記第１乃至第３の光ディスクに対して合焦させる対物レンズを有することを特徴としている。
また本発明は、光ピックアップを用いた光ディスク装置であって、前記した光ピックアップと、前記光ディスクから読取った情報データを処理する信号処理部とを有することを特徴としている。
【発明の効果】
【００１２】
本発明によれば、構成要素を簡素化した光ピックアップ、及び当該の光ピックアップを用いた光ディスク装置を提供でき、特にＢＤを含む多種の記録媒体に対応した光ピックアップ、及び光ディスク装置の普及に寄与できるという効果がある。
【図面の簡単な説明】
【００１３】
【図１】一実施例における光ディスク装置のブロック図である。
【図２】一実施例における光ピックアップの第１のブロック図である。
【図３】入射光の偏光方向と出射光の関係を示す第１の図である。
【図４】入射光の偏光方向と出射光の関係を示す第２の図である。
【図５】一実施例における光ピックアップの第２のブロック図である。
【図６】一実施例における光ピックアップの第３のブロック図である。
【発明を実施するための形態】
【００１４】
以下、本発明の実施例につき図面を用いて説明する。まず、本実施例による光ピックアップを用いた光ディスク装置に関して、装置全体の動作を説明する。
図１は、一実施例における光ディスク装置１００のブロック図である。記録媒体である光ディスク１０１は、例えばＣＤ、ＤＶＤ、或いはＢＤである。もちろん、ＣＤ−Ｒ、ＤＶＤ−Ｒ、或いはＢＤ−Ｒのように一回のみ書込みが可能な追記型、ＣＤ−ＲＷ、ＤＶＤ−ＲＡＭ、或いはＢＤ−ＲＥのような書換え型、ＣＤ−ＲＯＭ、ＤＶＤ−ＲＯＭ、或いはＢＤ−ＲＯＭのような読取り専用型のいずれであっても良い。 光ディスク１０１は、図示しないディスクトレイ式、又はスリムスロット式のローディング機構に搭載され、光ディスク装置１００の内部に挿入され、スピンドルモータ１０５のシャフトの延長上に装着される。
【００１５】
装着された光ディスク１０１は、スピンドルモータ１０５により所定の回転速度（例えば、データを記録再生する位置において所定の線速度となる回転速度）となるよう回転駆動される。そのためのスピンドルモータ駆動信号は、サーボ部１１３で生成され、ドライバ部１０８で電力増幅されたうえでスピンドルモータ１０５に供給される。サーボ部１１３が前記スピンドルモータ駆動信号を生成するために、回転数検出回路１０６が設けられており、回転数検出回路１０６が発生するスピンドルモータ１０５の回転数を示す信号がサーボ部１１３に供給されている。
光ピックアップ１は、スレッド機構に搭載されており、スレッドモータ１０３の回転に伴い、光ディスク１０１の半径方向に移動して所定のトラック位置においてデータの記録再生を行う。このためのスレッドモータ駆動信号はサーボ部１１３で生成され、ドライバ部１０８で電力増幅されてスレッドモータ１０３に供給される。
また、光ピックアップ１が有する対物レンズ８は、電磁力を用いたトラッキングアクチュエータ１１９とフォーカスアクチュエータ１２０（図１では煩雑化を避けるため、１１９と１２０は対物レンズ８を駆動する方向のみ示す）に搭載されている。
【００１６】
トラッキングアクチュエータ１１９には、サーボ部１１３で生成されたトラッキング制御信号をドライバ部１０８で処理したトラッキングアクチュエータ駆動信号が供給される。これに基づき対物レンズ８は、レーザ光源１２又は１９で発生されたレーザ光束が光ディスク１０１の所定の記録トラック上を正しくトレースするよう、光ディスク１０１に対する半径方向（トラッキング方向）の位置を微調整される。
なお、レーザ光源１２は、光ディスク１０１がＣＤ又はＤＶＤである場合に使用される二波長型のレーザ光源であり、レーザ光源１９は、光ディスク１０１がＢＤである場合に使用される一波長型のレーザ光源であるとする。
また、フォーカスアクチュエータ１２０には、サーボ部１１３で生成されたフォーカス制御信号をドライバ１０８で処理したフォーカスアクチュエータ駆動信号が供給される。これに基づき対物レンズ８は、レーザ光源１２又は１９で発生されたレーザ光束が光ディスク１０１の所定の記録トラック上に正しくフォーカスするよう、光ディスク１０１に対する垂直方向（フォーカス方向）の位置を微調整される。
【００１７】
光ピックアップ１が含む光検出器１１は、前記レーザ光束の光ディスク１０１からの反射光を検出し、光ディスク１０１に記録されていた情報信号を検出して電気信号に変換する。検出された情報信号はＯＰＵ（Ｏｐｔｉｃａｌ  Ｐｉｃｋ  Ｕｐ；光ピックアップ）信号処理部１０７に供給される。ＯＰＵ信号処理部１０７は、前記情報信号を演算処理して、例えばトラッキングエラー信号とフォーカスエラー信号を生成し、サーボ部１１３に供給する。
サーボ部１１３は、供給されたトラッキングエラー信号とフォーカスエラー信号を処理して先のドライバ部１０８に供給する。これらの信号に基づきドライバ部１０８が有するアクチュエータ駆動回路は、先のトラッキングアクチュエータ駆動信号とフォーカスアクチュエータ駆動信号を生成して、トラッキングアクチュエータ１１９とフォーカスアクチュエータ１２０に供給する。これにより光ピックアップ１の対物レンズ８に対し、所定のトラッキングサーボ制御とフォーカスサーボ制御が施される。
【００１８】
さらにＯＰＵ信号処理部１０７は、光ディスク１０１に対してデータを記録再生した際の振幅や位相の周波数特性を等化したうえで、等化されたデータをエンコード／デコード部１１２に供給する。エンコード／デコード部１１２は、光ディスク１０１に記録されていた情報信号の再生処理を行う。例えば情報信号を、光ディスク１０１に記録する際に施された変調方法に応じて復調し、符号化方法に応じて復号化する。さらに、記録する際に情報信号に付与されたエラー訂正符号を用いたエラー訂正処理を行う。これにより、元の情報信号がデコードされる。デコードされた情報信号は、制御部１１１の指示に基づきメモリ１１４に一時的に格納される。
以上述べた光ディスク装置１００の動作は、制御部１１１が生成する制御信号に基づいて行われる。なお、制御部１１１は、例えばマイクロコンピュータを有している。
【００１９】
また、例えばユーザからの動作指令などは、光ディスク装置１００の上位装置であるホストコンピュータ（図示せず）で生成される。当該ホストコンピュータで生成された指令信号は、ＩＦ（インタフェース）部１１０が上位装置と光ディスク装置１００の間の通信を仲介することで伝達される。
前記メモリ１１４に一時格納された情報信号は、ＩＦ部１１０を介して前記ホストコンピュータに供給される。また、逆にホストコンピュータからＩＦ部１１０を介して供給された情報信号は、メモリ１１４に一時格納された後、エンコード／デコード部１１２で例えば前記したエラー訂正符号が付与され、また、所定の記録符号化と変調処理が施され、ＯＰＵ信号処理部１０７で光ピックアップ１へ供給するに適した値に電力増幅され、さらに、光ピックアップ１が有するレーザ光源１２又は１９が発生するレーザ光束を介して、光ディスク１０１の記録トラックに記録される。なお、これらの信号記録機能を有さない信号再生機能のみの光ディスク装置も、本実施例の範疇にある。
【００２０】
メモリ１１４は記録再生する情報信号を格納するのみでなく、制御部１１１を動作させるためのＯＳ（Ｏｐｅｒａｔｉｎｇ  Ｓｙｓｔｅｍ）、及びアプリケーションを多数格納する。従い、読み書きのできるＲＡＭ（Ｒａｎｄｏｍ  Ａｃｃｅｓｓ  Ｍｅｍｏｒｙ）或いはフラッシュメモリのみならず、例えばプログラマブルフラッシュＲＯＭ（Ｒｅａｄ  Ｏｎｌｙ  Ｍｅｍｏｒｙ）を含んで良い。
なお、図１では、多くの電気回路的な構成要素を個別に示したが、これらを大集積半導体素子にまとめて集積しても良いことは言うまでもない。
また、制御部１１１は光ディスク装置１００の全体の動作を制御するため、メモリ１１４に対してのみならず、ほぼ全ての電気回路的な構成要素と接続されているが、図１では図面の煩雑化を避けるため、接続線を省略して示している。
【００２１】
次に、本実施例における光ピックアップ１について詳しく説明する。
図２は、一実施例における光ピックアップ１の第１のブロック図である。まず、光ピックアップ１の全般的な動作を説明する。
レーザ光源１２と１９には、先のＯＰＵ信号処理部１０７からの出力信号が供給される。光ディスク１０１がＣＤである場合にはレーザ光源１２が機能して、例えば７９５ｎｍ級のレーザ光を発生する。光ディスク１０１がＤＶＤである場合にはレーザ光源１２が機能して、例えば６５６ｎｍ級のレーザ光を発生する。即ち、レーザ光源１２は、互いに異なる波長のレーザ光を発生する二つのレーザダイオードを近接して有する、二波長型のレーザ光源である。
【００２２】
光ディスク１０１がＣＤ又はＤＶＤである場合、レーザ光源１２で発生されたレーザ光は、回折格子１３を介してハーフミラー９の表面で反射され、プリズム４と第１の波長板５を通過した後、コリメートレンズ６で平行光とされ、立上げミラー７で全反射された後、対物レンズ８を介して光ディスク１０１に焦点を結ぶように照射される。なお、図２では光ディスク１０１を示していないが、ディスク面を図面に平行する方向として光ピックアップ１の手前側に位置する。対物レンズ８は、立上げミラー７に対して図面上で手前側に位置する。即ち、立上げミラー７と対物レンズ８との間では、前記レーザ光は図面の奥行方向に進行する。
【００２３】
一方、光ディスク１０１がＢＤである場合、レーザ光源１９で発生されたレーザ光は、補助レンズ２と回折格子３を介してプリズム４のスプリット面で反射され、第１の波長板５を通過した後、コリメートレンズ６で平行光とされ、立上げミラー７で全反射された後、対物レンズ８を介して光ディスク１０１に焦点を結ぶように照射される。
光ディスク１０１に対して情報データを記録する場合には、先のＯＰＵ信号処理部１０７からの出力信号は前記情報データを含んでいる。このため、当該情報データは光ディスク１０１に記録される。なお、レーザ光源１２と１９で発生されるレーザ光のパワー値は、光ディスク１０１の種類と記録層に応じて定められた所定の値とされる。
【００２４】
光ディスク１０１に記録された情報データを読取る際には、光ディスク１０１がＣＤ又はＤＶＤである場合にはレーザ光源１２が、光ディスク１０１がＢＤである場合にはレーザ光源１９が、前記と同様な波長のレーザ光を発生する。そのパワー値は、光ディスク１０１の種類と記録層に応じて定められた所定の値とされるが、前記した情報データの記録時よりも遥かに小さい値である。この際、レーザ光源１２又は１９が発生したレーザ光は、前記した情報データの記録時と同様な光路を経て、光ディスク１０１に照射される。
光ディスク１０１から反射されたレーザ光は、光ディスク１０１に記録されていた情報データを含んでいる。当該レーザ光は対物レンズ８を介して立上げミラー７で全反射され、以後、コリメートレンズ６、第１の波長板５、プリズム４を経て、さらにハーフミラー９を通過し、検出レンズ１０の作用により光検出器１１に焦点を結ぶ。光検出器１１は、検出したレーザ光を電気信号に変換して、先のＯＰＵ信号処理部１０７に供給する。これにより光ディスク１０１に記録された情報データが読取られる。
【００２５】
図２に示される他の構成要素について述べる。コリメートレンズホルダ１５は、先のコリメートレンズ６を保持し、ステップモータ１４の回転に伴いコリメートレンズ６の図面上で左右方向の位置を微調整する。この動作はレーザ光の波長に応じた球面収差の違いを補正するための動作であり、各波長のレーザ光はコリメートレンズ６を介した段階で平行光とされる。リセット検出器１６は、光ディスク１０１の内周側におけるエンドセンサであり、光ピックアップ１が内周側の初期位置に位置するか否かを検出する。リセット検出器１６は光学的な方法でも、機械的なスイッチを用いた方法でも実現できる。筐体１７は、光ピックアップ１の構成要素を位置決めする。ここでは形状の一例が破線で示されている。
【００２６】
なお、ここまでの説明においては、いくつかの構成要素の作用について詳しい説明が省略されている。例えば、回折格子３及び１３は、入射されたレーザ光から直接光、＋１次回折光と−１次回折光の３つのビームを作り、前記したトラッキングエラー信号とフォーカスエラー信号を生成できるようにする構成要素である。しかし、本実施例では直接的な関係は少ないので、詳しい説明を省略している。これに対して、第１の波長板５、並びに後記する第２の波長板１８と２０については、以下で詳しく説明する。
【００２７】
次に、光ディスク１０１に照射されるレーザ光の偏光について説明する。レーザ光の偏光は、レーザ光源１２と１９で発生された段階では直線偏光である。一方、光ディスク１０１に照射するレーザ光は一般に、円偏光か４５度の直線偏光（１／４波長位相進み）が好適とされる。特にレーザ光の波長が短く、記録密度の高い光ディスクに対して、記録再生する情報データの品質を高めるためには、円偏光か４５度の直線偏光が良いとされている。レーザ光源１２と１９で発生されたレーザ光を所定の偏光とするために、図２では第１の波長板５が設けられている。
【００２８】
次に、第１の波長板５をはじめとする波長板の作用について説明する。
波長板は、例えばその材料の分子形状を所定の方向に所定量だけ変形させることにより、板平面の二次元的な方向において、光の位相を進める方向（進相軸方向）と、光の位相を遅らせる方向（遅相軸方向）を有する。進相軸及び遅相軸は互いに直交しており、進相軸は光学軸とも呼ばれる。波長板は、入射されたレーザ光の偏光方向に応じて位相進み成分と位相遅れ成分を発生させて、レーザ光を出射する。
図２の第１の波長板５は１／４波長板である。１／４波長板は、入射されたレーザ光の偏光方向に応じて、１／８波長だけ位相が進んだ光成分と１／８波長だけ位相が遅れた光成分を出射する。即ち、入射されたレーザ光に対して１／４波長の位相差を有するレーザ光を出射する。
【００２９】
図３は、入射光の偏光方向と出射光の関係を示す第１の図であり、第１の波長板５が入射光に対して１／４波長板として機能する場合に、直線偏光である入射光の偏光方向が光学軸に対して４５度の角度を有する場合を示している。この場合、直線偏光として入射されたレーザ光は、円偏光に変換されて出射される。
光学軸に対する入射光の偏光方向が４５度から徐々にずれていくと、出射光は楕円偏光となる。
【００３０】
図４は、入射光の偏光方向と出射光の関係を示す第２の図であり、直線偏光である入射光の偏光方向が光学軸と一致する場合を示している。この場合、直線偏光として入射したレーザ光は直線偏光のままで出射される。
なお、図４で示したような、光学軸に対して入射光の偏光方向が一致する場合は、レーザ光の波長に依存することなく、直線偏光として入射したレーザ光は直線偏光のままで出射される。
即ち、図３で示す状態から図４で示す状態に、入射光と光学軸の関係を徐々に変えていくと、第１の波長板５を出射するレーザ光は円偏光、楕円偏光、直線偏光の順に変化する。前記したように、望ましい出射光は円偏光または４５度の直線偏光であるので、入射光と光学軸の関係は図３又は図４に示すような関係であることが望ましい。
【００３１】
しかしながら、波長板における光の位相シフト量は波長に対して依存性を有しており、ＢＤ用のレーザ光（波長４０５ｎｍ級）に適するよう設計した１／４波長板は、ＤＶＤ用のレーザ光（波長６５６ｎｍ級）とＣＤ用のレーザ光（波長７９５ｎｍ級）に対しては、１／４波長とは異なる位相シフト量を与える。例えば、ＢＤ用のレーザ光を円偏光として出射したとしても、例えばＤＶＤ用のレーザ光は円偏光として出射することはできない。このため、複数の波長のレーザ光を扱う場合には、さらなる工夫が必要となる。
【００３２】
前記した課題に対する一つの方法として、様々な位相差を有する波長板を重ね合わせた多層構造の波長板を作成して、ＢＤ、ＤＶＤ、ＣＤの各々に対して１／４波長板となる第１の波長板５を構成する方法がある。また、分子形状が異なる３種の分子を混合した材料で、第１の波長板５を構成する方法がある。このような波長板は三波長互換の波長板と呼ばれる。しかし、いずれの方法においても第１の波長板５の製作が難しくなり、価格が増大する問題がある。
レーザ光の波長が比較的長く、記録密度の低いＣＤに対しては偏光方向を左程問題にしなくとも品質上の問題は少ないが、ＢＤとＤＶＤに対しては円偏光、または４５度直線偏光のレーザ光を照射することが望ましい。
【００３３】
そこで本実施例では、図２において、まずＢＤに用いるレーザ光の波長に対応した１／４波長板として第１の波長板５を設計する。その光学軸は、図３で示すように、入射するＢＤ用レーザ光の偏光方向に対して４５度の角度を有するように設計する。これにより、第１の波長板５はＢＤ用のレーザ光を円偏光で出射する。しかし、このままではＢＤに対して最適な設計となっても、ＤＶＤとＣＤに対しては最適な設計とはならない。特にＤＶＤに対しても最適な設計とすることが望まれる。
これに対応する第１の方法として、ＤＶＤ及びＣＤ用のレーザ光源１２を所定の角度より４５度傾けて取付け、少なくもＤＶＤ用、必要に応じてＤＶＤ用とＣＤ用の双方のレーザ光を４５度直線偏光として、レーザ光源１２から発生させる方法がある。このようにすれば、レーザ光源１２から発生されたレーザ光は、図４で示すように、４５度の直線偏光のまま第１の波長板５を通過して光ディスク１０１へ照射されることとなる。
【００３４】
或いは、前記とは反対に、ＤＶＤに用いるレーザ光の波長に対応した１／４波長板として第１の波長板５を設計する。その光学軸は、入射するＤＶＤ用レーザ光の偏光方向に対して４５度の角度を有するように設計する。これにより、第１の波長板５はＤＶＤ用のレーザ光を円偏光で出射する。ＢＤ用のレーザ光源１９を所定の角度より４５度傾けて取付け、ＢＤ用のレーザ光を４５度直線偏光として、レーザ光源１９から発生させる方法がある。このようにすれば、レーザ光源１９から発生されたレーザ光は、４５度の直線偏光のまま第１の波長板５を通過して光ディスク１０１へ照射されることとなる。
これらは課題に対する一つの解決方法となる。但し、レーザ光源の取付け角度に応じて光検出器１１の受光面の構造を変更する必要がある。現状では、一般的ではない光検出器を使用することとなり、価格が増大する問題があるので、別な方法も考える必要がある。
【００３５】
そこで、第２の方法として本実施例では、レーザ光がレーザ光源１２で発生された直後に、新たな波長板を通過させる方法を用いる。
図５は、一実施例における光ピックアップ１の第２のブロック図であり、図２とは異なり、レーザ光源１２と回折格子１３の間に第２の波長板１８が設けられている。
第２の波長板１８は、ＤＶＤ用のレーザ光に対する１／２波長板である。１／２波長板は、入射するレーザ光の偏光方向に応じて、１／４波長だけ位相が進んだ光成分と１／４波長だけ位相が遅れた光成分を出射する。即ち、入射されたレーザ光に対して１／２波長の位相差を有するレーザ光を出射する。その光学軸は、入射するレーザ光の偏光方向に対して４５度の角度を有するように設計する。このようにすれば、レーザ光源１２から第２の波長板１８に入射したＤＶＤ用のレーザ光は、４５度直線偏光となって出射され、ＤＶＤの光ディスクに照射される。ＣＤ用のレーザ光は４５度直線偏光とならずに出射するが、前記したようにＣＤの場合は特に問題とはならない。
【００３６】
この際、レーザ光源１９が発生するＢＤ用レーザ光の光路には変更がないので、ＢＤ用のレーザ光は円偏光としてＢＤの光ディスクに照射される。即ち、偏光が特に問題とならないＣＤ用のレーザ光を除き、好適な偏光を有するレーザ光が光ディスク１０１に照射される。また、前記したような第１の波長板５又は光検出器１１として、特殊な構成要素を用いる場合と比較して、構成要素を簡素化した実施形態を提供することができる。
なお、以上の説明では、第２の波長板１８はＤＶＤ用のレーザ光に対する１／２波長板であるとした。しかし、一般には１／２波長板に限定されるものではない。第２の波長板１８は、ＤＶＤ用のレーザ光が前記第２の波長板１８に入射されてから前記第１の波長板５に入射されるまでの間に、４５度直線偏光に変換されるよう位相差を与えて出射するように設計されれば良い。
【００３７】
次に、第３の方法として、第２の方法とは異なる波長板１８を用いる方法を示す。
この場合、図５における第２の波長板１８は、ＤＶＤ用のレーザ光に対し、ＢＤ用レーザ光の１／４波長分とＤＶＤ用レーザ光の１／４波長分の差６２．７５ｎｍを補正するよう位相差を与えて出射するように設計される。その後、第１の波長板５をＤＶＤ用のレーザ光が通過するとＢＤ用レーザ光と同様に円偏光となって、ＤＶＤの光ディスクに照射される。即ち、偏光が特に問題とならないＣＤ用のレーザ光を除き、ＤＶＤ用のレーザ光、ＢＤ用のレーザ光とも円偏光として光ディスク１０１に照射される。
なお、ＤＶＤ用のレーザ光に対し、ＢＤ用レーザ光の１／４波長分とＤＶＤ用レーザ光の１／４波長分の差６２．７５ｎｍを補正するよう位相差を与える方法については、他の方法も考えられる。例えば、第２の波長板１８とハーフミラー９の双方で合わせて、６２．７５ｎｍ分の補正を行う方法もある。このように、波長板のみならず、他の構成要素による位相シフト量と合わせて補正を行っても良い。即ち、レーザ光源１２が発生したレーザ光が、第２の波長板１８に入射されてから第１の波長板５に入射されるまでの間に、前記６２．７５ｎｍ分の補正が行われるように第２の波長板１８を設計すると良い。
【００３８】
以上述べた第２と第３の方法の変形例として、第１の波長板５をＤＶＤ用のレーザ光の波長に対して最適となる１／４波長板とし、例えばＢＤ用のレーザ光源１９と補助レンズ３の間に前記した第２の波長板に相当する構成要素を設ける方法もある。
図６は、一実施例における光ピックアップ１の第３のブロック図であり、図２とは異なり、レーザ光源１９と補助レンズ２の間に第２の波長板２０が設けられている。
【００３９】
この場合は、第２の波長板２０は、ＢＤ用のレーザ光に対して最適となる１／２波長板として設計され、又は、第２の波長板２０は、ＢＤ用のレーザ光に対しＢＤ用レーザ光の１／４波長分とＤＶＤ用レーザ光の１／４波長分の差６２．７５ｎｍを補正するよう位相差を与えて出射するように設計される。そして、ＤＶＤ用のレーザ光は円偏光として光ディスク１０１に照射される。ＢＤ用のレーザ光は、前者の第２の波長板を用いる場合には４５度直線偏光として、後者の第２の波長板を用いる場合には円偏光として光ディスク１０１に照射される。
なお、前者の場合は、第２の波長板２０はＢＤ用のレーザ光に対する１／２波長板であるとした。しかし、一般には１／２波長板に限定されるものではない。第２の波長板２０は、ＢＤ用のレーザ光が前記第２の波長板２０に入射されてから前記第１の波長板５に入射されるまでの間に、４５度直線偏光に変換されるよう位相差を与えて出射するように設計されれば良い。
【００４０】
また、後者の場合、即ちＢＤ用のレーザ光に対し、ＢＤ用レーザ光の１／４波長分とＤＶＤ用レーザ光の１／４波長分の差６２．７５ｎｍを補正するよう位相差を与える方法については、他の方法も考えられる。例えば、第２の波長板２０とプリズム４の双方で合わせて、６２．７５ｎｍ分の補正を行う方法もある。このように、波長板のみならず、他の構成要素による位相シフト量と合わせて補正を行っても良い。即ち、レーザ光源１９が発生したレーザ光が、第２の波長板２０に入射されてから第１の波長板５に入射されるまでの間に、前記６２．７５ｎｍ分の補正が行われるように第２の波長板２０を設計すると良い。
ここまで示した実施形態は一例であって、本発明を限定するものではない。本発明の趣旨に基づきながら異なる実施形態を考えられるが、いずれも本発明の範疇にある。例えば、光ディスク装置１００及び光ピックアップ１の基本的な構成に関しては多くの異なる例があるが、本発明は図１、図２、図５、図６に示した構成に限定されるものではない。
【符号の説明】
【００４１】
１：光ピックアップ、２：補助レンズ、３，１３：回折格子、４：プリズム、５：第１の波長板、６：コリメートレンズ、７：立上げミラー、８：対物レンズ、９：ハーフミラー、１０：検出レンズ、１１：光検出器、１２，１９：レーザ光源、１４：ステップモータ、１５：コリメートレンズホルダ、１６：リセット検出器、１７：筐体、１８，２０：第２の波長板、１００：光ディスク装置、１０１：光ディスク、１０３：スレッドモータ、１１９：トラッキングアクチュエータ、１２０：フォーカスアクチュエータ。
【図１】
2013157056.tif 000003
【図２】
2013157056.tif 000004
【図３】
2013157056.tif 000005
【図４】
2013157056.tif 000006
【図５】
2013157056.tif 000007
【図６】
2013157056.tif 000008